(57)【要約】【課題】包材の開封時にどのような図柄の商品が取り出されるのかといった期待感を消費者に与えることができ、従来より一層高い訴求効果を発揮し得る詰め合わせ包装品を提供する。【解決手段】互いに異なる複数の図柄Ａ〜Ｌが外装に描かれた包材２と、この包材２の図柄Ａ〜Ｌの一つ一つを個別に印刷したラベル４を１枚ずつ貼付した複数個の商品３、又は、包材２の図柄Ａ〜Ｌの一つ一つを個別に直接印刷した複数個の商品３とを含み、包材２内に、図柄Ａ〜Ｌが商品３同士で相互に異なり、且つ、包材２の外装に描かれた図柄の数より少ない複数個の商品３が、包材２毎に組合せを異ならせて梱包された詰め合わせ包装品。【選択図】図１
2020007019.tif 000002
【特許請求の範囲】
【請求項１】
互いに異なる複数の図柄が外装に描かれた包材と、
この包材の前記図柄の一つ一つを個別に印刷したラベルを１枚ずつ貼付した複数個の商品、又は、前記包材の前記図柄の一つ一つを個別に直接印刷した複数個の商品とを含み、
前記包材内に、前記図柄が商品同士で相互に異なり、且つ、前記包材の外装に描かれた図柄の数より少ない複数個の商品が、包材毎に組合せを異ならせて梱包されたことを特徴とする詰め合わせ包装品。
【請求項２】
互いに異なる複数の図柄が外装に描かれた包材と、この包材の前記図柄の一つ一つを個別に印刷したラベルを１枚ずつ貼付した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、
ラベル基材にｎ種類（ここで、ｎ≧４）の図柄を相互に重複せずに順番に印刷するラベル印刷工程と、
ｎ種類の図柄が印刷されたｎ枚のラベルを１からｎ番目までの組として複数組セットするとともにその先頭のラベルから１枚ずつ順に繰り出す繰出工程と、
前記繰り出されたラベルを、１列に流れてくる前記商品１個につき１枚ずつ順番に貼付するラベル貼付工程と、
前記ラベル貼付工程から１列に流れてくる商品を当該列の先頭からｎ−ｍ個ずつ（ここで、２≦ｍ＜ｎ）順番に前記包材に梱包する梱包工程と、
を含むことを特徴とする詰め合わせ包装品の生産方法。
【請求項３】
互いに異なる複数の図柄が外装に描かれた包材と、この包材の前記図柄の一つ一つを個別に印刷したラベルを１枚ずつ貼付した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、
ラベル基材にｎ種類（ここで、ｎ≧４）の図柄を相互に重複せずに順番に印刷するラベル印刷工程と、
ｎ種類の図柄が印刷されたｎ枚のラベルを１からｎ／２番目までの組とｎ／２＋１からｎ番目までの組の２組に振り分けて、１からｎ／２番目までの第１組のラベルを複数組ずつセットするとともに、ｎ／２＋１からｎ番目までの第２組のラベルを複数組ずつセットするラベル振り分け工程と、
前記第１組及び第２組のラベルセットからそれぞれラベルを交互に繰り出す繰出工程と、
前記繰り出されたラベルを、１列に流れてくる前記商品１個につき１枚ずつ順番に貼付するラベル貼付工程と、
前記ラベル貼付工程から１列に流れてくる商品を当該列の先頭からｎ−ｍ個ずつ（ここで、２≦ｍ＜ｎ）順番に前記包材に梱包する梱包工程と、
を含むことを特徴とする詰め合わせ包装品の生産方法。
【請求項４】
互いに異なる複数の図柄が外装に描かれた包材と、この包材の前記図柄の一つ一つを個別に直接印刷した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、
１列に流れてくる商品にｎ種類（ここで、ｎ≧４）の図柄を相互に重複せずに順番に印刷する印刷工程と、
前記印刷工程から１列に流れてくる商品を当該列の先頭からｎ−ｍ個ずつ（ここで、２≦ｍ＜ｎ）順番に前記包材に梱包する梱包工程と、
を含むことを特徴とする詰め合わせ包装品の生産方法。
【発明の詳細な説明】
【技術分野】
【０００１】
本発明は、詰め合わせ包装品及びその生産方法に係り、特に、消費者に対して高い訴求効果を発揮し得る詰め合わせ包装品とその生産方法とに関する。
【背景技術】
【０００２】
これまで、例えば、プロ野球選手やサッカー選手などのスタープレーヤ又は人気アイドルグループのメンバーの肖像或いはアニメのキャラクターなどを、包装箱や包装袋などの包材の外装に描いたり、若しくはそれらを印刷したラベルを商品自体に貼付したりすることで、消費者の購買意欲を掻き立てて販売を促進する取り組みがよく行われている。
【０００３】
また、上記の取り組みにおいて、複数個の商品を一つの包材に梱包し詰め合わせ包装品として販売するにあたっては、包材の外装に相互に異なる上記肖像等の図柄を複数描き、その図柄と同じ図柄のラベルが貼付された商品を梱包するのが一般的である。
【０００４】
ところで、特許文献１には、印刷物等の内容物をランダムに袋、箱などの包装容器に封入する場合において、中身を一度封入してしまうと、どのような中身を袋や箱に封入したかがわからなくなる、といった課題を解決した包装体に係る発明が開示されている。
【先行技術文献】
【特許文献】
【０００５】
【特許文献１】特開２００３−３００５３２号公報
【発明の概要】
【発明が解決しようとする課題】
【０００６】
上記従来の詰め合わせ包装品にあっては、包材の外装に描かれた相互に異なる複数の図柄と、包材に詰められた各商品に貼付されたラベルの図柄とが同じであることから、当然のことながら、消費者は、包材の外装に描かれている図柄より包材内の商品のラベルの図柄を包材の開封前に知ることになる。したがって、包材を開けて商品を取り出す際に、どのようなラベルが貼付された商品が出てくるのかといった期待感を消費者に与えることができるものではなかった。
【０００７】
また、このような詰め合わせ包装品は、訴求効果を包材の外装に描かれた図柄にだけ依存するものとなり、それ以上の効果を期待することができないとともに、同業他社の同様の詰め合わせ包装品との差別化を図るにも専ら図柄の選定の当否に左右されるものであった。
【０００８】
さらに、販売される詰め合わせ包装品同士はその中に梱包された商品も含めすべて同じものであるから、消費者としてはせいぜい一つか二つを購入すれば足り、詰め合わせ包装品としての販売量がさほど伸びないものであった。特に、上記したような図柄を利用するに際して当然にライセンス料が発生することから、その分販売量を増やすことが強く望まれるところ、それに充分応え得るものではなかった。
【０００９】
本発明は、かかる従来の問題を改善するためになされたもので、包材の外装に異なる複数の図柄が描かれ、それら図柄のラベルが貼付された又はそれら図柄が直接印刷された複数個の商品が梱包されてなる詰め合わせ包装品において、包材の開封時にどのような図柄の商品が取り出されるのかといった期待感を消費者に与えることができ、従来より一層高い訴求効果を発揮し得る詰め合わせ包装品及びその生産方法を提供するものである。
【００１０】
なお、前記特許文献１には、内容物をランダムに包材に封入することが開示されているが、封入後に包材の中身を確認することができるようにする発明が開示されているに過ぎず、本発明とは課題及びその解決手段において全く異なるものである。
【課題を解決するための手段】
【００１１】
前述の目的を達成するため、本発明の詰め合わせ包装品は、互いに異なる複数の図柄が外装に描かれた包材と、この包材の前記図柄の一つ一つを個別に印刷したラベルを１枚ずつ貼付した複数個の商品、又は、前記包材の前記図柄の一つ一つを個別に直接印刷した複数個の商品とを含み、前記包材内に、前記図柄が商品同士で相互に異なり、且つ、前記包材の外装に描かれた図柄の数より少ない複数個の商品が、包材毎に組合せを異ならせて梱包されたことを特徴とする、との構成を採用する。
【００１２】
本発明によれば、包材内に、図柄が商品同士で相互に異なり、且つ、包材の外装に描かれた図柄の数より少ない複数個の商品が、包材毎に組合せを異ならせて梱包されているので、包材の開封時にどのような図柄の商品が取り出されるのかといった期待感を消費者に与えることができる。
【００１３】
また、前述の目的を達成するため、本発明の詰め合わせ包装品の生産方法は、互いに異なる複数の図柄が外装に描かれた包材と、この包材の前記図柄の一つ一つを個別に印刷したラベルを１枚ずつ貼付した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、ラベル基材にｎ種類（ここで、ｎ≧４）の図柄を相互に重複せずに順番に印刷するラベル印刷工程と、ｎ種類の図柄が印刷されたｎ枚のラベルを１からｎ番目までの組として複数組セットするとともにその先頭のラベルから１枚ずつ順に繰り出す繰出工程と、前記繰り出されたラベルを、１列に流れてくる前記商品１個につき１枚ずつ順番に貼付するラベル貼付工程と、前記ラベル貼付工程から１列に流れてくる商品を当該列の先頭からｎ−ｍ個ずつ（ここで、２≦ｍ＜ｎ）順番に前記包材に梱包する梱包工程と、を含む、との構成を採用する。
【００１４】
また、他の本発明の詰め合わせ包装品の生産方法は、互いに異なる複数の図柄が外装に描かれた包材と、この包材の前記図柄の一つ一つを個別に印刷したラベルを１枚ずつ貼付した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、ラベル基材にｎ種類（ここで、ｎ≧４）の図柄を相互に重複せずに順番に印刷するラベル印刷工程と、ｎ種類の図柄が印刷されたｎ枚のラベルを１からｎ／２番目までの組とｎ／２＋１からｎ番目までの組の２組に振り分けて、１からｎ／２番目までの第１組のラベルを複数組ずつセットするとともに、ｎ／２＋１からｎ番目までの第２組のラベルを複数組ずつセットするラベル振り分け工程と、前記第１組及び第２組のラベルセットからそれぞれラベルを交互に繰り出す繰出工程と、前記繰り出されたラベルを、１列に流れてくる前記商品１個につき１枚ずつ順番に貼付するラベル貼付工程と、前記ラベル貼付工程から１列に流れてくる商品を当該列の先頭からｎ−ｍ個ずつ（ここで、２≦ｍ＜ｎ）順番に前記包材に梱包する梱包工程と、を含む、との構成を採用する。
【００１５】
さらに、他の本発明の詰め合わせ包装品の生産方法は、互いに異なる複数の図柄が外装に描かれた包材と、この包材の前記図柄の一つ一つを個別に直接印刷した複数個の商品とを含み、前記包材内に、前記図柄が商品同士で相互に異なり、且つ、前記包材の外装に描かれた図柄の数より少ない複数個の商品が、包材毎に組合せを異ならせて梱包された詰め合わせ包装品の生産方法であって、１列に流れてくる商品にｎ種類（ここで、ｎ≧４）の図柄を相互に重複せずに順番に印刷する印刷工程と、前記印刷工程から１列に流れてくる商品を当該列の先頭からｎ−ｍ個ずつ（ここで、２≦ｍ＜ｎ）順番に前記包材に梱包する梱包工程と、を含む、との構成を採用する。
【００１６】
本発明の上記各生産方法によれば、それぞれ上記詰め合わせ包装品を効率良く生産することができる。
【発明の効果】
【００１７】
上述のように構成される本発明によれば、包材の開封時にどのようなラベルが貼付された商品が取り出されるのかといった期待感を消費者に与えることができ、従来より一層高い訴求効果を発揮し得る詰め合わせ包装品を提供することができる。
【図面の簡単な説明】
【００１８】
【図１】本発明に係る詰め合わせ包装品の一実施形態を示す概念図である。
【図２】図１に示す詰め合わせ包装品の生産過程を示す概念図である。
【図３】本発明に係る詰め合わせ包装品の他の実施形態を示す概念図である。
【図４】図３に示す詰め合わせ包装品の他の生産過程を示す概念図である。
【発明を実施するための形態】
【００１９】
以下、本発明の実施の形態について図を参照して説明する。
【００２０】
−第１実施形態−
図１は、本発明の一実施形態を示す概念図、図２は、図１に示す詰め合わせ包装品の生産過程を示す概念図である。本発明に係る詰め合わせ包装品１は、包材２と、この包材２に梱包される複数個の商品３とを含むものである。
【００２１】
包材２は、本実施形態では、包装箱が採用されている。この包材２の外装には、互いに異なる複数（本実施形態では１２種類）の図柄Ａ〜Ｌが、例えば印刷により描かれている。これら図柄Ａ〜Ｌとしては、例えば、プロ野球選手やサッカー選手などのスタープレーヤの肖像、又は、人気アイドルグループのメンバーの肖像、或いはアニメのキャラクターなど、消費者に対する訴求効果が望める図柄とされている。
【００２２】
商品３は、本実施形態では、ボトル入りの飲料が採用されている。各商品３には、包材２の図柄Ａ〜Ｌの一つ一つを個別に印刷したラベル４が１枚ずつ貼付されている。
【００２３】
このようになる商品３の包材２への梱包は次のとおりである。すなわち、包材２の外装に描かれた図柄Ａ〜Ｌの数より２つ少ない図柄のラベル４が貼付された商品３・・・を、包材２内に、包材２毎に組合せを異ならせて梱包している。これによって、図１の最上段に示す詰め合わせ包装品１では、図柄Ａ〜Ｊのラベル４が貼付された商品３・・・が梱包されており、図１の中段に示す詰め合わせ包装品１では、上段の詰め合わせ包装品１とは図柄の組合せが異なる図柄Ｋ，Ｌ，Ａ〜Ｈのラベル４が貼付された商品３・・・が梱包されており、図１の下段に示す詰め合わせ包装品１では、上段及び中段の詰め合わせ包装品１，１とは図柄の組合せが異なる図柄Ｉ〜Ｌ，Ａ〜Ｆのラベル４が貼付された商品３・・・が梱包されている。
【００２４】
本実施形態では、包材２の外装に描かれる図柄の数（種類）が１２であり、商品３の個数が１０個であるから、数学的には相互に図柄が異なるラベルが貼付された商品３の組合せ数は６６通りとなる。しかしながら、６６通りの組合せを既存の生産ラインで作り出すことは実際のところ困難であるため、例えば、図２に示す方法を採用するのが望ましい。
【００２５】
図２に示す例では、ラベル４に図柄Ａ〜Ｌをこの順番で印刷し（ラベル印刷工程）、これを１セットとして複数のセット５を順番（Ａ〜Ｌ, Ａ〜Ｌの繰り返し）に並べて供給カセット６に装填してから、負圧吸引式の取込ドラム７、接着剤塗布ドラム８、及び負圧吸引式の貼付ドラム９を介して、図示しないライン上を１列に流れてくる商品（ボトル）３に順番に貼付していく（繰出工程及びラベル貼付工程）。これにより、先頭の商品３には図柄Ａが印刷されたラベル４が貼付され、次の商品３には図柄Ｂが印刷されたラベル４が貼付され、以後、この順番でラベル４が商品３に貼付されていき、最後の図柄Ｌが貼付された商品３に続く次の商品３には、再び図柄Ａのラベル４が貼付され、以後、この一連の流れが繰り返されていく。
【００２６】
このようにして図柄Ａ〜Ｌのラベル４が貼付され次々とライン上を流れてくる商品３を、従来周知の箱詰め装置により、先頭から１０個ずつ取り出して、それぞれを包材２に梱包していく（梱包工程）。これにより、図１に示したように、包材２毎に商品３の組合せが異なる詰め合わせ包装品１が得られる。
【００２７】
−第２実施形態−
図３は、本実施形態を示す概念図、図４は、図３に示す詰め合わせ包装品の生産過程を示す概念図である。上記した実施形態とは、ラベル４の貼付の順番が異なるだけであり、上記実施形態と同一構成要素には同一符号を付し、重複する説明は省略する。
【００２８】
すなわち、上記の実施形態と同様、包材２の外装に描かれた図柄Ａ〜Ｌの数より２つ少ない図柄のラベル４が貼付された商品３・・・を、包材２内に、包材２毎に組合せを異ならせて梱包している。本実施形態では、図３の最上段に示す詰め合わせ包装品１では、図柄Ｌ，Ｆを除く１０枚のラベル４が貼付された商品３・・・が梱包されており、図３の中段に示す詰め合わせ包装品１では、上段の詰め合わせ包装品１とは図柄の組合せが異なる図柄Ｅ，Ｋを除く１０枚のラベル４が貼付された商品３・・・が梱包されており、図３の下段に示す詰め合わせ包装品１では、上段及び中段の詰め合わせ包装品１，１とは図柄の組合せが異なる図柄Ｄ，Ｊを除く１０枚のラベル４が貼付された商品３・・・が梱包されている。
【００２９】
上記の詰め合わせ包装品１の生産方法は、図４に示すように、ラベル４に図柄Ａ〜Ｌをこの順番で印刷し（印刷工程）、これを図柄Ａ〜Ｆまでと、図柄Ｇ〜Ｌまでの２つの組みに分けて、各組のそれぞれを１セットとして複数のセット１０，１１を順番に並べて、各組専用の供給カセット１２，１３にそれぞれ装填しておく（ラベル振り分け工程）。そして、各供給カセット１２，１３からラベル４を交互に繰り出し（繰出工程）、負圧吸引式の取込ドラム１４，１５、接着剤塗布ドラム１６、及び負圧吸引式の貼付ドラム１７を介して、図示しないライン上を１列に流れてきた商品（ボトル）３に順番に貼付していく（ラベル貼付工程）。これにより、先頭の商品３には図柄Ａが印刷されたラベル４が貼付され、次の商品３には図柄Ｇが印刷されたラベル４が貼付され、次の商品３には図柄Ｂが印刷されたラベル４が貼付され、というように、Ａ→Ｇ→Ｂ→Ｈ→Ｃ→Ｉ→Ｄ→Ｊ→Ｅ→Ｋ→Ｆ→Ｌの順番でラベル４が商品３に貼付されていき、最後の図柄Ｌが貼付された商品３に続く商品３には、再び図柄Ａのラベル４が貼付され、以後、この一連の流れが繰り返されていく。なお、上記いずれの実施形態にあっても、ラベル４の商品３への貼付には、例えば特開２００５−２７２１１２号公報に開示されたような枚葉ラベルの供給装置などが利用できる。
【００３０】
このようにして図柄Ａ〜Ｌのラベル４が貼付され次々とライン上を流れてくる商品３を、先頭から１０個ずつ取り出して、それぞれを包材２に梱包していく（梱包工程）。これにより、包材２毎に商品３の組合せが異なる詰め合わせ包装品１が得られる。
【００３１】
−他の実施形態−
上記の実施形態は、いずれもラベル４に図柄を印刷して、そのラベル４を商品３に貼付しているが、ラベル４を廃して、商品３に図柄を直接印刷してもよい。その場合は、特に図示はしないが、１列に流れてくる商品にｎ種類（ここで、ｎ≧４）の図柄を相互に重複せずに順番に印刷し（印刷工程）、次に、印刷工程から１列に流れてくる商品を当該列の先頭からｎ−ｍ個ずつ（ここで、２≦ｍ＜ｎ）順番に包材２に梱包（梱包工程）すればよい。なお、商品３への図柄の印刷は従来周知の装置を利用することができる。
【００３２】
ところで、第１実施形態及び第２実施形態では、いずれも、商品３を１０個ずつラインから取り出して包材２に梱包する作業を６回繰り返すと、次の７回目に再び初回の１０個と同じ組合せの商品３を梱包することとなり、以後これが繰り返されていく。つまり、商品３の組合せが異なる６種類の詰め合わせ包装品１が生産されることとなる。これでは組合せの種類が少ないようにみられるが、店頭で消費者が仮に３つ４つと複数の詰め合わせ包装品１を購入したとしても、商品３の組合せが同じ詰め合わせ包装品１を手にする確率は低く、所期の目的は問題なく達成される。
【００３３】
以上、包材２に１２種類の図柄が描かれ、この包材２に図柄の数より２つ少ない１０個の商品３を梱包する例について説明したが、本発明はこれに限定されるものではなく、例えば、図柄が１２種類である場合に梱包する商品３の個数を１１個又は１０個未満としてもよい。また、包材２に描く図柄の種類を８種類とし、この包材２に梱包する商品をそれより少ない例えば６個としてもよい。或いは、数十人からなる女性アイドルグループを図柄に選定した場合は、包材２にグループのメンバー全員の図柄を印刷する一方、この包材２に梱包する商品の数を、例えば１０個以下に設定すれば、商品の組合せが異なる詰め合わせ包装品の種類が増えるため、商品の訴求効果をより一層高めることができる。
【００３４】
また、上記の実施形態では、包材２として包装箱を示したが、本発明はこれに限らず、例えば、巾着袋や封緘可能な紙袋など、袋状のものであってもよい。さらに、商品３もボトル飲料に限らず、食品、日用雑貨品、文房具、乾電池など、ありとあらゆる種類のものを採用することができる。
【００３５】
さらに、上記の実施形態では、商品３に図柄が印刷されたラベル４を貼付しているが、ラベル４は、図柄が印刷されたシュリンクフィルムであってもよい。
【符号の説明】
【００３６】
１  詰め合わせ包装品
２  包材
３  商品
４  ラベル
５，１０、１１  セット
６，１２，１３  供給カセット
７，１４，１５  取込ドラム
８，１６  接着剤塗布ドラム
９，１７  貼付ドラム
【図１】
2020007019.tif 000003
【図２】
2020007019.tif 000004
【図３】
2020007019.tif 000005
【図４】
2020007019.tif 000006